(57)【要約】【課題】構造が簡単で安価に製造でき、美容液などの浸透効果にも優れたマスクシートを提供する。【解決手段】マスクシート１００は、顔面全体を覆い目、鼻、口の少なくとも１つと対応する箇所に開口６、７、８を有する顔面被覆部１と、この顔面被覆部１と連続して設けられた、頭部全体を覆う頭部被覆部９と、顔面被覆部１および頭部被覆部９に対し両側方へ延びて、互いに結ばれる一対の結び部４、５とを備えている。マスクシート１００を展開した状態で、顔面被覆部１と頭部被覆部９と結び部４、５とは同一平面となる。【選択図】図１
2016198147.tif 000002
【特許請求の範囲】
【請求項１】
顔面全体を覆い、目、鼻、口の少なくとも１つと対応する箇所に開口を有する顔面被覆部と、
前記顔面被覆部と連続して設けられた、頭部全体を覆う頭部被覆部と、
前記顔面被覆部および前記頭部被覆部に対し両側方へ延びて、互いに結ばれる一対の結び部と、を備え、
展開した状態で、前記顔面被覆部と前記頭部被覆部と前記結び部とが同一平面となる、ことを特徴とするマスクシート。
【請求項２】
請求項１に記載のマスクシートにおいて、
展開した状態で、前記顔面被覆部と、前記頭部被覆部と、前記結び部とが十字形を形成する、ことを特徴とするマスクシート。
【請求項３】
請求項１に記載のマスクシートにおいて、
展開した状態で、前記顔面被覆部と、前記頭部被覆部と、前記結び部とが三角形を形成する、ことを特徴とするマスクシート。
【請求項４】
請求項１に記載のマスクシートにおいて、
前記顔面被覆部の両側に、耳に引っ掛けられる第１耳掛部を設けた、ことを特徴とするマスクシート。
【請求項５】
請求項４に記載のマスクシートにおいて、
前記顔面被覆部と連続して、前記頭部被覆部と反対側に設けられた、顎部を覆う顎部被覆部をさらに備え、
前記顎部被覆部の両側に、耳に引っ掛けられる第２耳掛部を設けた、ことを特徴とするマスクシート。
【請求項６】
請求項５に記載のマスクシートにおいて、
前記結び部は、前記顔面被覆部の上側に設けられた上側結び部と、前記顎部被覆部の下側に設けられた下側結び部とから構成される、ことを特徴とするマスクシート。
【請求項７】
請求項１ないし請求項６のいずれかに記載のマスクシートにおいて、
前記頭部被覆部は、額および頭頂部を覆う第１頭部被覆部と、後頭部を覆う第２頭部被覆部とから構成される、ことを特徴とするマスクシート。
【請求項８】
請求項７に記載のマスクシートにおいて、
前記第２頭部被覆部は、首筋、肩、または背中まで延びる長さに形成されている、ことを特徴とするマスクシート。
【発明の詳細な説明】
【技術分野】
【０００１】
本発明は、顔面を覆う部分と頭部を覆う部分とが一体となった美容用のマスクシートに関する。
【背景技術】
【０００２】
美容用のマスクシートとしては、特許文献１に記載されているような、目・鼻・口に対応する部分に開口を設けた顔面被覆用のものがよく知られている。また、顔面を覆う部分と頭部を覆う部分とを一体に設けたマスクシートも知られている。たとえば、特許文献２には、顔面と頭部全体を被覆するマッサージ用マスクであって、空気袋の膨張によって顔面を圧迫しマッサージを行うものが示されている。また、特許文献３には、顔面と頭頂部を覆うシャワーキャップに、後頭部から首筋までを被覆する垂下被覆部を設けたフェイスマスクが示されている。
【先行技術文献】
【特許文献】
【０００３】
【特許文献１】特開２０１１−２５０９１７号公報
【特許文献２】特開２００７−２４４８４２号公報
【特許文献３】実用新案登録第３１６８０７８号公報
【発明の概要】
【発明が解決しようとする課題】
【０００４】
特許文献２のマスクシートは、伸縮性を有する素材からなる顔面部被覆シートと、非伸縮性の素材からなる後頭部被覆シートとから構成されており、両被覆シートは連結部で一体に連結されている。そして、後頭部被覆シートにファスナーが設けられているとともに、後頭部被覆シートの内側には、空気袋体が設けられている。このようなマスクシートは、構造が複雑で部品も多く、製造にも手間がかかるため、高価なものとなる。また、嵩張るため保管にも不便である。
【０００５】
特許文献３のマスクシートは、円形フイルムの周縁に伸縮紐を取り付けてシャーリングした開口部を有するフェイスキャップを用いているので、構造は比較的簡単である。しかし、フェイスキャップは非通気性のフイルムから形成されるため、美容液や化粧水を含浸させることはできない。また、フェイスキャップを美容液や化粧水の含浸が可能な素材で形成したとしても、垂下被覆部が頭部に対して固定されないため、後頭部や首筋と垂下被覆部との間に空間が生じ、髪や頭皮への液の浸透効果が低下する。
【０００６】
本発明は、構造が簡単で安価に製造でき、美容液などの浸透効果にも優れたマスクシートを提供することを目的としている。
【課題を解決するための手段】
【０００７】
本発明に係るマスクシートは、顔面全体を覆い、目、鼻、口の少なくとも１つと対応する箇所に開口を有する顔面被覆部と、この顔面被覆部と連続して設けられた、頭部全体を覆う頭部被覆部と、顔面被覆部および頭部被覆部に対し両側方へ延びて、互いに結ばれる一対の結び部とを備えており、展開した状態で、顔面被覆部と頭部被覆部と結び部とが同一平面となるように構成されている。
【０００８】
本発明では、マスクシートを展開したときに、顔面被覆部、頭部被覆部、および結び部が同一平面をなすので、１枚のシート材を裁断することにより、容易にマスクシートを製造することができる。また、マスクシートの形状・構造が簡単なものとなり、シートを折り畳んでコンパクトに保管することができる。さらに、両側方へ延びる一対の結び部が設けられているので、この結び部をたとえば頭の後ろ側で結ぶことにより、頭部被覆部を頭部に密着して固定することができる。このため、マスクシートに含浸された液の髪や頭皮への浸透効果を高めることができる。
【０００９】
本発明において、マスクシートを展開した状態で、顔面被覆部と、頭部被覆部と、結び部とが十字形を形成するようにしてもよい。
【００１０】
本発明において、マスクシートを展開した状態で、顔面被覆部と、頭部被覆部と、結び部とが三角形を形成するようにしてもよい。
【００１１】
本発明において、顔面被覆部の両側に、耳に引っ掛けられる第１耳掛部を設けてもよい。
【００１２】
本発明において、顔面被覆部と連続して頭部被覆部と反対側に設けられた、顎部を覆う顎部被覆部をさらに設け、この顎部被覆部の両側に、耳に引っ掛けられる第２耳掛部を設けてもよい。
【００１３】
本発明において、結び部は、顔面被覆部の上側に設けられた上側結び部と、顎部被覆部の下側に設けられた下側結び部とから構成してもよい。
【００１４】
本発明において、頭部被覆部を、額および頭頂部を覆う第１頭部被覆部と、後頭部を覆う第２頭部被覆部とから構成してもよい。この場合、第２頭部被覆部は、首筋、肩、または背中まで延びる長さに形成されていてもよい。
【発明の効果】
【００１５】
本発明によれば、構造が簡単で安価に製造でき、美容液などの浸透効果にも優れたマスクシートを提供することができる。
【図面の簡単な説明】
【００１６】
【図１】本発明の第１実施形態に係るマスクシートを示した平面図である。
【図２】同マスクシートと顔および頭との位置関係を示した正面図である。
【図３】同マスクシートと顔および頭との位置関係を示した側面図である。
【図４】同マスクシートの装着手順を示した図である。（ａ）は正面から見た図、（ｂ）および（ｃ）は背後から見た図である。
【図５】本発明の第２実施形態に係るマスクシートを示した平面図である。
【図６】本発明の第３実施形態に係るマスクシートを示した平面図である。
【発明を実施するための形態】
【００１７】
以下、本発明の実施形態につき、図面を参照しながら説明する。各図において、同一の部分または対応する部分には、同一符号を付してある。
【００１８】
図１は、第１実施形態に係るマスクシート１００を展開した状態を示している。マスクシート１００は、１枚のシートを裁断することによって作られる。シートの素材は、伸縮性を有する不織布である。
【００１９】
マスクシート１００は、顔面被覆部１と、頭部被覆部９と、一対の結び部４、５とを備えている。顔面被覆部１は、顔面全体を覆う部分である。この顔面被覆部１には、目、鼻、口に対応して、それぞれ開口６、７、８が形成されている。顔面被覆部１のＸ方向（顔の横方向）の寸法１ｘは、約２１ｃｍであり、Ｙ方向（顔の縦方向）の寸法１ｙは、約１８ｃｍである。但し、これらの寸法は単なる一例であって、本発明を限定するものではない。以下の寸法例示についても同様である。また、図１において、各部１〜５の境界に描かれている破線は、便宜上のものであり、実在しなくてもよいが、境界であることを示す何らかの表示を施してもよいことは言うまでもない。後述する図５、図６においても同様である。
【００２０】
頭部被覆部９は、頭部全体を覆う部分で、顔面被覆部１とＹ方向に連続して設けられている。頭部被覆部９は、額と頭頂部を覆う第１頭部被覆部２と、後頭部を覆う第２頭部被覆部３とから構成される。第１頭部被覆部２のＸ方向の寸法２ｘは、約２１ｃｍであり、Ｙ方向の寸法２ｙは、約１７ｃｍである。第２頭部被覆部３のＸ方向の寸法３ｘは、約２１ｃｍであり、Ｙ方向の寸法３ｙは、約３５ｃｍである。
【００２１】
結び部４、５は、顔面被覆部１および頭部被覆部９に対し両側方（Ｘ方向）へ延びている。左側の結び部４と右側の結び部５の大きさは同じである。結び部４、５のＸ方向の寸法４ｘ、５ｘは、約４５ｃｍであり、Ｙ方向の寸法４ｙ、５ｙは、約１７ｃｍである。結び部４、５は、後述するように、頭の後ろ側で互いに結ばれる。
【００２２】
図１からわかるように、マスクシート１００を展開した状態では、顔面被覆部１と頭部被覆部９と結び部４、５とが同一平面となっている。また、この展開状態において、顔面被覆部１と頭部被覆部９と結び部４、５とは、十字形を形成している。
【００２３】
図２に示すように、顔面被覆部１の開口６は目の位置にあって、マスクシート１００を装着した状態で、目が開口６から露出するので、利用者は視界が妨げられることがない。開口７は、鼻の位置にあって、スリットを３方に設けることにより形成され、常時はスリットで囲まれた部分の台形状の舌片で塞がれている。マスクシート１００を顔に装着すると、舌片が鼻で押されてめくられ、開口７に鼻の一部が露出するので、利用者は呼吸が妨げられることがない。開口８は、口の位置にあって、マスクシート１００を装着した状態で、口が開口８から露出するので、利用者は呼吸や会話が妨げられることがない。
【００２４】
図２および図３に示すように、マスクシート１００を装着した状態では、顔面の全域が顔面被覆部１で覆われる。また、図３に示すように、額と頭頂部の領域は、頭部被覆部９の第１頭部被覆部２で覆われ、後頭部は、頭部被覆部９の第２頭部被覆部３で覆われる。第２頭部被覆部３は、首筋から肩を経て、背中まで延びる長さに形成されている。
【００２５】
次に、マスクシート１００の使用方法について説明する。以下では、美容液を含浸させたマスクシート１００を用いて、顔面と頭皮のケアだけでなく、ヘアケアも行なう場合を例に挙げる。
【００２６】
まず、シャンプーで洗髪を行い、シャンプーを洗い流した後、トリートメント剤を髪に塗布し、しばらく置いてからトリートメント剤を洗い流す。次に、髪に美容液を塗布する。美容液は、主に毛先に塗り込むように塗布するとよい。なお、髪がセミロングやロングのように長い場合は、髪の先端側を団子状に束ねる。
【００２７】
続いて、マスクシート１００を装着する。マスクシート１００には、あらかじめ美容液が含浸されている。装着にあたっては、まず図４（ａ）に示すように、顔面被覆部１の開口６、７、８が、それぞれ目、鼻、口の位置に来るように、顔面被覆部１を顔にフィットさせる。また、図４（ａ）、（ｂ）に示すように、第１頭部被覆部２で額と頭頂部を覆い、第２頭部被覆部３で後頭部を覆うように、頭部被覆部９で頭部全体を覆う。この状態から、図４（ｃ）に示すように、左右の結び部４、５を、頭の後ろ側で互いに結ぶ。髪が団子状に束ねられている場合は、束ねた部分の下側で、結び部４、５を結ぶ。結び部４、５を互いに結ぶことで、頭部被覆部９は頭部に対して固定される。
【００２８】
図４（ｃ）に示す状態で、１０〜１５分程度放置する。顔面被覆部１についても、一般のフェイスマスクと同様に、開口６、７、８を目、鼻、口に合わせてフィットさせた状態で、１０〜１５分程度放置する。これによって、マスクシート１００に含浸されている美容液が顔面と頭皮、および髪に浸透する。そして、時間が来たら、マスクシート１００を外し、ドライヤーを用いて髪を乾かす。以上により、顔面と頭皮のケアに加えて、髪のケアが行なわれる。
【００２９】
上述した第１実施形態によれば、マスクシート１００を展開したときに、顔面被覆部１、頭部被覆部９、および結び部４、５が同一平面をなすので、１枚のシート材を裁断することにより、容易にマスクシート１００を製造することができる。また、マスクシート１００の形状・構造が簡単なものとなり、シートを折り畳んでコンパクトに保管することができる。さらに、両側方へ延びる一対の結び部４、５が設けられているので、この結び部４、５を頭の後ろ側で結ぶことにより、頭部被覆部９を頭部に密着して固定することができる。このため、マスクシート１００に含浸された美容液の、髪や頭皮への浸透効果を高めることができる。
【００３０】
図５は、第２実施形態に係るマスクシート２００を展開した状態を示している。このマスクシート２００も、１枚のシートを裁断することによって作られ、シートの素材は、伸縮性を有する不織布である。
【００３１】
マスクシート２００は、全体として二等辺三角形に形成されていて、顔面被覆部１１と、頭部被覆部１９と、一対の結び部１４、１５とを備えている。マスクシート２００全体のＸ方向の寸法２０ｘ（三角形の底辺長）は、約１ｍであり、Ｙ方向の寸法２０ｙ（三角形の高さ）は、約１ｍである。
【００３２】
顔面被覆部１１は、顔面全体を覆う部分である。この顔面被覆部１１には、目、鼻、口に対応して、それぞれ開口１６、１７、１８が形成されている。顔面被覆部１１のＸ方向の寸法２１ｘは、約２１ｃｍであり、Ｙ方向の寸法２１ｙは、約１８ｃｍである。
【００３３】
頭部被覆部１９は、額と頭頂部を覆う第１頭部被覆部１２と、後頭部を覆う第２頭部被覆部１３とから構成される。第１頭部被覆部１２のＸ方向の寸法２２ｘは、約２１ｃｍであり、Ｙ方向の寸法２２ｙは、約１７ｃｍである。第２頭部被覆部１３を構成する三角形の底辺長は、約６５ｃｍであり、三角形の高さは、約６５ｃｍである。
【００３４】
結び部１４、１５は、顔面被覆部１１および頭部被覆部１９に対し両側方（Ｘ方向）へ延びている。左側の結び部１４と右側の結び部１５の大きさは同じである。結び部１４、１５は、第１実施形態の結び部４、５と同様に、頭の後ろ側で互いに結ばれる（図示省略）。
【００３５】
図５からわかるように、マスクシート２００を展開した状態では、顔面被覆部１１と頭部被覆部１９と結び部１４、１５とが同一平面となっている。また、この展開状態において、顔面被覆部１１と頭部被覆部１９と結び部１４、１５とは、三角形を形成している。
【００３６】
マスクシート２００の装着方法は、基本的に、第１実施形態のマスクシート１００と同じである。すなわち、顔面被覆部１１の開口１６、１７、１８が、それぞれ目、鼻、口の位置に来るように、顔面被覆部１１を顔にフィットさせるとともに、第１頭部被覆部１２で額と頭頂部を覆い、第２頭部被覆部１３で後頭部を覆うように、頭部被覆部１９で頭部全体を覆う。そして、左右の結び部１４、１５を、頭の後ろ側で互いに結ぶことにより、頭部被覆部１９が頭部に対して固定される。
【００３７】
第１実施形態の場合と同様に、マスクシート２００にあらかじめ美容液を含浸させておくことで、美容液が顔面と頭皮、および髪に浸透し、顔面と頭皮のケアに加えて、髪のケアを行なうことができる。
【００３８】
上述した第２実施形態によれば、マスクシート２００を展開したときに、顔面被覆部１１、頭部被覆部１９、および結び部１４、１５が同一平面をなすので、１枚のシート材を裁断することにより、容易にマスクシート２００を製造することができる。また、マスクシート２００の形状・構造が簡単なものとなり、シートを折り畳んでコンパクトに保管することができる。さらに、両側方へ延びる一対の結び部１４、１５が設けられているので、この結び部１４、１５を頭の後ろ側で結ぶことにより、頭部被覆部１９を頭部に密着して固定することができる。このため、マスクシート２００に含浸された美容液の、髪や頭皮への浸透効果を高めることができる。
【００３９】
図６は、第３実施形態に係るマスクシート３００を展開した状態を示している。このマスクシート３００も、１枚のシートを裁断することによって作られ、シートの素材は、伸縮性を有する不織布である。
【００４０】
マスクシート３００は、顔面被覆部３１と、頭部被覆部３９と、一対の上側結び部３４、３５と、顎部被覆部４０と、一対の下側結び部４４、４５とを備えている。顔面被覆部３１は、顔面全体を覆う部分である。この顔面被覆部３１には、目、鼻、口に対応して、それぞれ開口３６、３７、３８が形成されている。また、顔面被覆部３１の両側には、左右の耳にそれぞれ引っ掛けられる第１耳掛部４１が形成されている。第１耳掛部４１は、開口３６、３８と同様の開口からなる。また、顔面被覆部３１には、側端から開口３６へ至るスリット４７が形成されている。
【００４１】
顎部被覆部４０は、顎部を覆う部分であって、顔面被覆部３１と連続して、頭部被覆部３９と反対側に設けられている。顎部被覆部４０の両側には、左右の耳にそれぞれ引っ掛けられる第２耳掛部４２が形成されている。第２耳掛部４２は、第１耳掛部４１と同様の開口からなる。顔面被覆部３１と顎部被覆部４０との境界における左右両側には、スリット４３が形成されている。顔面被覆部３１および顎部被覆部４０のＸ方向の寸法３０ｘは、約２２ｃｍであり、両被覆部３１、４０を合わせたＹ方向の寸法３０ｙは、約１６ｃｍである。
【００４２】
頭部被覆部３９は、頭部全体を覆う部分で、顔面被覆部３１とＹ方向に連続して設けられている。頭部被覆部３９は、額と頭頂部を覆う第１頭部被覆部３２と、後頭部を覆う第２頭部被覆部３３とから構成される。第１頭部被覆部３２および第２頭部被覆部３３のＸ方向の寸法３３ｘは、約１５ｃｍである。第１頭部被覆部３２のＹ方向の寸法３２ｙは、約１７ｃｍである。第２頭部被覆部３３のＹ方向の寸法３３ｙは、約３２ｃｍである。
【００４３】
上側結び部３４、３５は、顔面被覆部３１の上側に設けられていて、顔面被覆部３１および頭部被覆部３９に対し両側方（Ｘ方向）へ延びている。左側の結び部３４と右側の結び部３５の大きさは同じである。上側結び部３４、３５のＸ方向の寸法３４ｘ、３５ｘは、約４５ｃｍであり、Ｙ方向の寸法３４ｙ、３５ｙは、約１５ｃｍである。上側結び部３４、３５は、第１実施形態の結び部４、５と同様に、頭の後ろ側で互いに結ばれる（図示省略）。
【００４４】
下側結び部４４、４５は、顎部被覆部４０の下側に設けられていて、顔面被覆部３１、頭部被覆部３９、および顎部被覆部４０に対し両側方（Ｘ方向）へ延びている。左側の結び部４４と右側の結び部４５の大きさは同じである。顎部被覆部４０と下側結び部４４、４５との境界における左右両側には、スリット４６が形成されている。下側結び部４４、４５のＸ方向の寸法４４ｘ、４５ｘは、約３５ｃｍであり、Ｙ方向の寸法４４ｙ、４５ｙは、約５ｃｍである。
【００４５】
図６からわかるように、マスクシート３００を展開した状態では、顔面被覆部３１と、頭部被覆部３９と、顎部被覆部４０と、上側結び部３４、３５と、下側結び部４４、４５とが同一平面となっている。また、この展開状態において、顔面被覆部３１、頭部被覆部３９、顎部被覆部４０、上側結び部３４、３５、および下側結び部４４、４５は、大略「士」の字形を形成している。
【００４６】
なお、図６においては、上側結び部３４、３５と下側結び部４４、４５が、いずれも若干斜めになった状態で側方へ延びているが、これに限らず、各結び部３４、３５、４４、４５は、図１に示した結び部４、５のように、側方へまっすぐ延びていてもよい。あるいは、上側結び部３４、３５と下側結び部４４、４５の一方のみを、若干斜めになった状態で側方へ延ばし、他方を側方へまっすぐ延ばしてもよい。
【００４７】
マスクシート３００は、たとえば次のような手順で装着される。最初に、第１実施形態のマスクシート１００と同様の要領で、顔面被覆部３１の開口３６、３７、３８が、それぞれ目、鼻、口の位置に来るように、顔面被覆部３１を顔にフィットさせるとともに、第１頭部被覆部３２で額と頭頂部を覆い、第２頭部被覆部３３で後頭部を覆うように、頭部被覆部３９で頭部全体を覆う。また、顔面被覆部３１の両側の第１耳掛部４１を、シート材（不織布）の伸縮性を利用して左右の耳に引っ掛ける。次に、上側結び部３４、３５を、頭の後ろ側で互いに結ぶことにより、頭部被覆部３９が頭部に対して固定される。
【００４８】
次に、顎部被覆部４０で顎部を覆った後、顎部被覆部４０の両側の第２耳掛部４２を、シート材の伸縮性を利用して左右の耳に引っ掛ける。このとき、左右の耳には、すでに顔面被覆部３１の第１耳掛部４１が引っ掛けられているので、第２耳掛部４２は、第１耳掛部４１に重ねて、耳に引っ掛けられることになる。最後に、下側結び部４４、４５を、顎部を持ち上げるように上方へ引っ張って、頭頂部付近で互いに結ぶ。以上でマスクシート３００の装着が完了する。
【００４９】
第１実施形態の場合と同様に、マスクシート３００にあらかじめ美容液を含浸させておくことで、美容液が顔面と頭皮、および髪に浸透し、顔面と頭皮のケアに加えて、髪のケアを行なうことができる。
【００５０】
また、顔面被覆部３１の第１耳掛部４１を、左右の耳に引っ掛けることによって、目の下の領域の肌が上側に引っ張られて、リフトアップ効果が得られる。さらに、顎部被覆部４０の第２耳掛部４２を、左右の耳に引っ掛けることによって、顎から頬にかけての領域の肌が上側に引っ張られて、リフトアップ効果が得られる。
【００５１】
上述した第３実施形態によれば、マスクシート３００を展開したときに、顔面被覆部３１、頭部被覆部３９、顎部被覆部４０、上側結び部３４、３５、および下側結び部４４、４５が同一平面をなすので、１枚のシート材を裁断することにより、容易にマスクシート３００を製造することができる。また、マスクシート３００の形状・構造が簡単なものとなり、シートを折り畳んでコンパクトに保管することができる。さらに、両側方へ延びる一対の上部結び部３４、３５が設けられているので、この上部結び部３４、３５を頭の後ろ側で結ぶことにより、頭部被覆部３９を頭部に密着して固定することができる。このため、マスクシート３００に含浸された美容液の、髪や頭皮への浸透効果を高めることができる。
【００５２】
また、第３実施形態のマスクシート３００では、顔面被覆部３１に第１耳掛部４１、顎部被覆部４０に第２耳掛部４２がそれぞれ設けられているので、両耳掛部４１、４２を耳に引っ掛けることにより、顔の下半分のリフトアップ効果を得ることができる。
【００５３】
さらに、第３実施形態のマスクシート３００では、顎部被覆部４０に連続して下側結び部４４、４５が設けられているので、この下側結び部４４、４５で顎部を持ち上げることによって、より強力なリフトアップ効果を得ることができる。
【００５４】
本発明は、以上述べた実施形態に限らず、以下のような種々の実施形態を採用することができる。
【００５５】
図１では、１枚のシートを裁断することによって、顔面被覆部１、頭部被覆部９、および結び部４、５を一体に形成した例を示したが、これらの一部を縫製や接着などにより他の部分に接合してもよい。図５、図６においても同様である。
【００５６】
図１では、顔面被覆部１に、目、鼻、口に対応する３つの開口６、７、８が形成されているが、目、鼻、口のいずれか１つまたは２つに対応する開口のみを形成してもよい。図５、図６においても同様である。
【００５７】
図３では、第２頭部被覆部３が、首筋から肩を経て背中まで延びる長さに形成されているが、第２頭部被覆部３は、後頭部のみを覆う長さであってもよく、あるいは、首筋までの長さ、肩までの長さ、背中までの長さのいずれであってもよい。図５、図６においても同様である。
【００５８】
図１では、顔面被覆部１に耳掛部が設けられていないが、図６のような第１耳掛部４１に相当する耳掛部を、顔面被覆部１に形成してもよい。図５においても同様である。
【００５９】
図１および図５では、顎部を覆う部分が設けられていないが、図６のような顎部被覆部４０を顔面被覆部１、１１と連続して形成してもよい。その場合、図６のような下側結び部４４、４５をさらに設けてもよい。
【００６０】
図４では、結び部４、５を頭の後ろ側で結ぶ例を示したが、これに代えて、結び部４、５を頭の後ろで交差させた後、首に巻きつけるようにして前に引き出し、首や胸の位置で結ぶようにしてもよい。図５の結び部１４、１５と、図６の上側結び部３４、３５についても同様である。
【００６１】
図６では、顎部被覆部４０の下側に下側結び部４４、４５を設けたが、この下側結び部４４、４５は省略してもよい。
【００６２】
前記の各実施形態では、マスクシート１００、２００、３００に美容液を含浸させた例を挙げたが、マスクシート１００、２００、３００に化粧水を含浸させてもよい。
【００６３】
前記の各実施形態では、マスクシート１００、２００、３００の素材として不織布を例に挙げたが、美容液や化粧水などの含浸が可能で、伸縮性のある素材であれば、不織布以外の素材を用いてもよい。また、マスクシート１００、２００、３００の素材は、伸縮性のないシートであってもよい。
【符号の説明】
【００６４】
１、１１、３１  顔面被覆部
２、１２、３２  第１頭部被覆部
３、１３、３３  第２頭部被覆部
４、５、１４、１５  結び部
３４、３５  上側結び部
４４、４５  下側結び部
６〜８、１６〜１８、３６〜３８  開口
９、１９、３９  頭部被覆部
４０  顎部被覆部
４１  第１耳掛部
４２  第２耳掛部
１００、２００、３００  マスクシート
【図１】
2016198147.tif 000003
【図２】
2016198147.tif 000004
【図３】
2016198147.tif 000005
【図４】
2016198147.tif 000006
【図５】
2016198147.tif 000007
【図６】
2016198147.tif 000008